(57)【要約】【目的】高熱時、脇の下のリンパ節を冷す装置である、本考案の冷却装置は従来の冷却剤収納袋を有する冷却装置に、胸の周囲、又、腕の周囲を固定させるベルトを設けたことで、人体の両脇に設置された冷却剤収納袋が一層に両脇の下に固定されることを目的としている。【構成】人体の両脇に設置される、冷却剤収納袋１の両側面上部に湾曲に立上げた腕の付け根の円周より大きめの円周を有した肩掛け紐２、両該肩掛け紐２の一片を背側で繋ぎ止める、ループエンド３０されたスライド式留め具１０を有した繋ぎ紐１５を利用して背中上部にて絞り上げ留、冷却剤収納袋１を脇の下に固定させた従来の冷却装置に、冷却剤収納袋１の両側面よりベルト３１を構成させ、該ベルト３１を利用し、胸の周囲、又は、腕の周囲を固定させたことで、人体の両脇の下に一層に冷却剤収納袋１が固定できる。【選択図】図３  の  （ロ）
2005034556.tif 000002
【特許請求の範囲】
【請求項１】
人体の両脇に設置される冷却剤収納袋の両側面、上部上方向に湾曲に立ち上げた、肩掛け紐を二つに分割し、二つに分割された該肩掛け紐の、双方の先端を一つに結び、人体の腕の付け根の円周より大きめの円周を備えさせた、両該肩掛け紐の一片を、背側で繋ぎ止める部材とからなる従来の冷却装置。該冷却装置の両側面に、胸の周囲、又は、腕の周囲を固定させるベルトを構成させた冷却装置。
【請求項２】
人体の両脇に設置される冷却剤収納袋の両側面、上部上方向に湾曲に立ち上げた、人体の腕の付け根の円周より大きめの円周を備えた肩掛け紐を二つに分割し、二つに分割された該肩掛け紐の双方の先端に、取り外し自在の部材を設け、該肩掛け紐は，長さ調節もでき、両該肩掛け紐の一片を背側で繋ぎ止める部材とからなる従来の冷却装置。該冷却装置の両側面に、胸の周囲、又は、腕の周囲を固定させるベルトを支持する部材を設け、該ベルトは、長さ調節可能な、取り外し自在の部材を有した請求項１の冷却装置。
【請求項３】
人体の両脇に設置される冷却剤収納袋の両側面、又は、片側面に肩掛け紐を支持する部材を設け、該支持する部材により人体の腕の付け根の円周より大きめの円周を有する該肩掛け紐を湾曲に接続し、該肩掛け紐には長さ調節可能な部材を有し、冷却剤収納袋の両側面、又は、片側面の上部から該肩掛け紐を取り外し自在にさせ、両該肩掛け紐の一片を背側で繋ぎ止める部材とからなる従来の冷却装置、該冷却装置の側面に腕の周囲、又は、胸の周囲を固定させるベルトを支持する部材を設け、該ベルトは長調節可能な、取り外し自在の部材を有した請求項１請求項２の冷却装置。
【請求項４】
人体の両脇に設置される冷却剤収納袋の両側面、又は片側面に袖部材を設、該袖部材の上部上方向に、人体の腕の付け根の円周より大きめの円周を備えた、両該肩掛け紐に肩クッションを備えた、収縮自在の素材を有した冷却装置の、両該肩掛け紐の一片を背側で繋ぎ止める部材とからなる従来の冷却装置。該冷却装置の両側面に胸の周囲、又は、腕の周囲を固定させるためのベルトを支持する部材を設、長さ調節可能な、取り外し自在の部材を有し、該ベルトは収縮自在の素材を有した請求項１請求項２請求項３の冷却装置。
【発明の詳細な説明】
【発明に属する技術分野】
【０００１】本発明は、高熱時、脇の下のリンパ節を冷す為の冷却装置である。
【背景技術】
【０００２】高熱時、肩掛け紐を有する冷却装置に、胸の周囲、又は、腕の周囲を固定させるベルトを有した、冷却装置がいまだ無く、両肩掛け紐の一片を背側で繋ぎ止める部材のみで、冷却剤収納袋を人体の両脇の下に固定させていた。
【発明が解決しようとする課題】
【０００３】上記の従来の構成では、冷却剤収納袋の両側面上部上方向に人体の腕の付け根の円周より大きめの円周を有する肩掛け紐を備えた冷却装置の側面に、胸の周囲、又は、腕の周囲を固定させる為のベルトを構成させ、いつそうに冷却剤収納袋を脇の下に固定することを目的とする。
【課題を解決するための手段】
【０００４】上記課題を解決するために請求項１において、人体の両脇に設置される冷却剤収納袋の両側面、上部上方向に湾曲に立上げた、肩掛け紐を二つに分割し、二つに分割された双方の先端を一つに結び、腕の付け根の円周より大きめの円周を備えさせた、両該肩掛け紐の一片を、背側で繋ぎ止める部材とからなる従来の冷却装置。該冷却装置の両側面に、本発明である、胸の周囲、又は、腕の周囲を固定させるベルトを構成したことを提供する。
【０００５】請求項２において、人体の両脇に設置される冷却剤収納袋の両側面、上部上方向に湾曲に立ち上げた、人体の腕の付け根の円周より大きめの円周を備えた肩掛け紐が二つに分割され、二つに分割された該肩掛け紐の双方の先端に、取り外し自在の部材を設、該肩掛け紐の一部が長さ調節もでき、両該肩掛け紐の一片を背側で繋ぎ止める部材とからなる従来の冷却装置。該冷却装置の両側面に、本発明である、胸の周囲、又は、腕の周囲を固定させるためのベルトに、該ベルトを支持する部材を設、又、長さ調節可能な、取り外し自在の部材を設けたことを提供する。
【０００６】請求項３において、人体の両脇に設置される冷却剤収納袋の両側面、又は片側面上部に肩掛け紐を支持する部材を設け、冷却剤収納袋側面上部、又は該支持する部材により人体の腕の付け根の円周より大きめの円周を有する該肩掛け紐を湾曲に接続し、該肩掛け紐には長さ調節可能な部材を有し、冷却剤収納袋の両側面、又は、片側面の上部から該肩掛け紐を取り外し自在にさせ、両該肩掛け紐の一片を背側で繋ぎ止める部材とからなる従来の冷却装置。該冷却装置の両側面に、本発明である、胸の周囲、又は、腕の周囲を固定させるためのベルトに、ベルトを支持させる部材を設、又、長さ調節可能な、取り外し自在の部材を設けたことを提供する。
【０００７】請求項４において、人体の両脇に設置される冷却剤収納袋の両側面、又は、片側面に袖部材有し、該袖部材の側面上部、又は、冷却剤収納袋側面上部に腕の付け根の円周より大きめの円周を備えた肩掛け紐を設、該肩掛け紐は収縮自在の素材を有し、該肩掛け紐の山部分に肩クツションを備えさせ、両該肩掛け紐の一片を背側で繋ぎ止める部材とからなる、従来の冷却装置。該冷却装置の両側面に、本発明である、胸の周囲、又は、腕の周囲を固定させたベルトに、該ベルトを支持させる部材を設、又、長さ調節可能な、取り外し自在の部材を設け、該ベルトは、収縮自在の素材を有することを提供する。
【発明を実施するための最良の形態】
【０００８】本考案に係わる実施例を図面に添って説明する。図１は、本発明の実施例の一つである。【０００９】請求項１の図１の（イ）において、人体の両脇に設置させる冷却剤収納袋１の両側面、上部上方向に立上げた肩掛け紐２を二つに分割し、分割された双方の肩掛け紐２の先端を一つに結び１２、人体の腕の付け根の円周より大きめの円周を備えさせ、両該肩掛け紐２の一片を背側で繋ぎ止める部材である、ループエンド３０された、スライド式留め具１０を備えた、繋ぎ紐１５により背中上部で繋ぎ止める、従来の冷却装置。
（ロ）に示す、本考案である、該冷却剤収納袋１の両側面に、胸の周囲、又、腕の周囲を固定させるベルト３１を取り付け、胸の周囲、又、腕の周囲を固定させるために、（ａ）（ｂ）に示す、ベルト３１を備えた図（ロ）の該冷却装置を人体に装着させ，該冷却剤収納袋１の両側面に備えた、ベルト３１を胸の周囲、又、腕の周囲に巻、固定させ結ぶ１２、冷却剤収納袋１を一層に人体の両脇の下に固定させる。【００１０】冷却剤収納袋１の蓋部材３には、留め具１１が設けられている。【００１１】請求項２の図２の（イ）において、人体の両脇に設置される冷却剤収納袋１の両側面、上部上方向に湾曲に立上げた肩掛け紐２を二つに分割し、分割された双方の肩掛け紐２の先端に、取り外し自在の留め具１１、と受け手である肩掛け紐２の先端にリング１４を設、繋ぎ止め、人体の腕の付け根の円周より大きめの円周を設定させ、該肩掛け紐２は長さ調節可能な部材である長さ調節具１３を有する、両該肩掛け紐２の一片を背側で繋ぎ止める、ループエンド３０されたスライド式留１０を備えた、繋ぎ紐１５により背中上部に繋ぎ止めた、従来の冷却装置。
（ロ）に示す、本考案である、該冷却剤収納袋１の両側面に、胸の周囲、又は、腕の周囲を固定させるためのベルト３１を設、該ベルト３１を支持する部材である、リング１４を冷却剤収納袋１の両側面に設、該リング１４に繋ぎ止めた、留め具１１を有した、長さ調節可能な部材である、長さ調節具１３を備えたベルト３１を、胸の周囲、又は、腕の周囲を固定させるために、（ａ）（ｂ）に示す、該ベルト３１を備えた該冷却装置を人体に装着させ、該ベルト３１に備えられた部材、留め具１１、相対する受け手にはリング１４を設、胸の周囲、又は、腕の周囲を固定させる、該ベルト３１は、冷却剤収納袋１の側面より取り外すことも出来る。【００１２】ベルト３１を冷却剤収納袋１より取り外した、図示なし。【００１３】請求項３の図３の（イ）において、人体の両脇に設置される冷却剤収納袋１の両側面、又は片側面上部に肩掛け紐２を支持する部材であるリング１４を設、該リング１４、又は、冷却剤収納袋１の側面上部上方向に、湾曲に立上げた、人体の腕の付け根の円周より大きめの円周を備えた、肩掛け紐２は、長さ調節可能な部材である長さ調節具１３を備え、該肩掛け紐２の両末端、又は、片末端に、取り外し自在の留め具１１を備え、両末端、又は、片末端が、冷却剤収納袋１から取り外すことが出来、両該肩掛け紐２をループエンドされた、スライド式留め具１０を有した繋ぎ紐１５を利用して、背中上部にて絞り上げ留める従来の冷却装置。
（ロ）に示す、本考案である、該冷却剤収納袋１の両側面に、胸の周囲、又は、腕の周囲を固定させるためのベルト３１を設、該ベルト３１を支持する部材である、リング１４を冷却剤収納袋１の両側面に設、該リング１４に繋ぎ止めた、留め具１１を有した、長さ調節可能な部材である、長さ調節具１３を備えたベルト３１を、胸の周囲、又は、腕の周囲を固定させるために、（ａ）（ｂ）に示す、該ベルト３１を備えた該冷却装置を人体に装着させ、該ベルト３１に備えられた部材、留め具１１、相対する受け手にはリング１４を設、胸の周囲、又は、腕の周囲を固定させる、該ベルト３１は、冷却剤収納袋１の側面より取り外すことが出来る。【００１４】請求項３の図３の（イ）の冷却剤収納袋１の両側面上部に肩掛け紐２を支持させる部材に、リング１４を設、該肩掛け紐２の両末端に留め具１４を備えさせ、冷却剤収納袋１の両側面より該肩掛け紐２を完全に切り放すことのできる従来の冷却装置の、図示なし。【００１５】請求項４の図４の（イ）において、人体の両脇に設置される冷却剤収納袋１の両側面、又は、片側面に袖部材３２を設け、腕の付け根の円周より大きめの円周を備えた肩掛け紐２を袖部材３２、又は、冷却剤収納袋１の側面上部より湾曲に立ち上げ、該肩掛け紐２は収縮自在の素材を有し、又、該肩掛け紐２の山部分には肩クッション３３を備えさせた、両該肩掛け紐２の一片を背側で繋ぎ止める、ループエンド３０された、スライド式留め具１０を有した、繋ぎ紐１５を利用して背中上部にて絞り上げ留める、従来の冷却装置。
（ロ）に示す、本考案である、該冷却剤収納袋１の両側面に、胸の周囲、又は、腕の周囲を固定させるためのベルト３１を設、該ベルト３１を支持させる部材である、リング１４を冷却剤収納袋１の両側面に設、該リング１４に繋ぎ止めた、留め具１１、相対するベルト３１の受け手にはリング１４を設、長さ調節可能な部材である、長さ調節具１３を備えた収縮自在の素材を有する、ベルト３１を胸の周囲、又は、腕の周囲を固定させるために、（ａ）（ｂ）に示す、該ベルト３１を備えた冷却装置を人体に装着させ、該ベルト３１に備えられた部材、留め具１１により、相対する受け手にはリング１４を設、胸の周囲、又は、腕の周囲を固定させる、該ベルト３１は、冷却剤収納袋１の側面より取り外すことが出来る。【００１６】胸の周囲に設置された該ベルト３１は、人体の前側のみ、又、後側のみにだけに使用ることもできる。
【発明の効果】
本発明は、従来の冷却剤収納袋１を有した冷却装置に、胸の周囲、又は、腕の周囲を固定させるベルト３１を設けたことで、冷却剤収納袋１が一層に人体の両脇に固定することを目的としている。
【図面の簡単な説明】
【図１】（イ）は、従来の冷却装置の一例の図面です。（ロ）は、本発明の部材を取り付けた図面である。（ａ）（ｂ）は本考案の冷却装置を人体に装着させた図面である。
【図２】（イ）は、従来の冷却装置の二例の図面です。（ロ）は、本発明の部材を取り付けた図面である。（ａ）（ｂ）は本発明の冷却装置を人体に装着させた図面である。
【図３】（イ）は、従来の冷却装置の三例の図面です。（ロ）は、本発明の部材を取り付けた図面ある。（ａ）（ｂ）は本考案の冷却装置を人体に装着させた図面である。
【図４】（イ）は、従来の冷却装置の四例の図面です。（ロ）は、本発明の部材を取り付けた図面である。（ａ）（ｂ）は本考案の冷却装置を人体に装着させた図面である。
【符号の説明】
１    冷却剤収納袋                  １５  繋ぎ紐
２    肩掛け紐                      ２０  人体の前側
３    蓋部材                        ２２  人体の後側
１０  スライド式留め具              ３０  ループエンド
１１  留め具                        ３１  ベルト
１２  結び目                        ３２  袖部材
１３  長さ調節具                    ３３  肩クッション
１４  リング
【図１】
2005034556.tif 000003
【図２】
2005034556.tif 000004
【図３】
2005034556.tif 000005
【図４】
2005034556.tif 000006